(57)【要約】      （修正有）【課題】簡素で作製が容易な吊り下げ具を有する機能体パッケージ及び吊り下げ具付き機能体を提供する。【解決手段】機能体パッケージは、機能性基材２と、機能性基材２を梱包する梱包材５とを有する。梱包材５には、吊り下げ具となる部分５２ｄを切り離すためのミシン目５０が形成されている。梱包材５から切り離された吊り下げ具は、機能性基材２を保持する保持部６２と、支持体に引っ掛けられるフック部とを有する。【選択図】図１
2015009819.tif 000002
【特許請求の範囲】
【請求項１】
機能性基材と、前記機能性基材を保護する保護材とを有する機能体パッケージであって、
前記保護材には、支持体に吊り下げられる吊下部及び前記機能性基材を保持する保持部を有する吊り下げ具となる部分を切り離すためのミシン目が形成されている機能体パッケージ。
【請求項２】
前記保護材は、前記機能性基材を梱包する梱包材、又は／及び前記機能性基材とともに梱包材に収容されている台紙からなる請求項１記載の機能体パッケージ。
【請求項３】
前記保持材は、厚紙又はダンボール紙からなる請求項１又は２に記載の機能体パッケージ。
【請求項４】
前記吊り下げ具の前記吊下部は、前記支持体に引っ掛けるフック部をもつ請求項１〜３のいずれか１項に記載の機能体パッケージ。
【請求項５】
前記吊り下げ具の前記フック部の内周縁と前記保持部の内周縁との間には、前記支持体を収容可能なスペースが形成されて、前記フック部の内周縁と前記保持部の内周縁とは前記スペースを挟んで互いに対向しており、
前記保持部は、前記フック部と連結している連結部と、前記保持部の前記連結部から離間した位置に配置され前記フック部に対向する先端部とをもち、前記保持部の内周縁と外周縁との間の幅は、前記連結部から前記先端部に向かって徐々に小さくなっている請求項４記載の機能体パッケージ。
【請求項６】
前記吊り下げ具の前記フック部は、先端から基端まで湾曲した形状をもつ湾曲部と前記湾曲部の基端に連結する直線部とをもち、
前記保持部は、前記連結部で前記フック部の前記直線部と連結して前記直線部の延び方向に対して屈曲して前記湾曲部の先端に向かって延びており、前記保持部の外周縁は、前記直線部の延び方向に対して直角の方向に延びており、
前記保持部は、前記機能性基材を係止する係止穴又は係止片をもち、
前記吊り下げ具を前記支持体に吊り下げた際に前記フック部の水平方向の中央部分を通る仮想線を前記直線部の延び方向と平行に引いたとき、前記係止穴又は係止片は、前記仮想線上に位置している請求項５に記載の機能体パッケージ。
【請求項７】
前記吊り下げ具の前記保持部は、前記機能性基材を係止する係止穴又は係止片をもつ請求項１〜５のいずれか１項に記載の機能体パッケージ。
【請求項８】
前記係止片は、前記保持部の外周縁側に位置する部分で前記保持部に連結された基部と、前記保持部の内周縁側に位置する部分で前記保持部から切り離された先端部とをもつ請求項６又は７に記載の機能体パッケージ。
【請求項９】
前記機能性基材は、前記吊り下げ具の前記係止片に係止される切り込み又は穴を有する請求項６〜８のいずれか１項に記載の機能体パッケージ。
【請求項１０】
前記機能性基材は、シート状を呈する機能性シートを有する請求項１〜９のいずれか１項に記載の機能体パッケージ。
【請求項１１】
前記機能性基材は、更に、前記機能性シートを収容する通気性の収容体を有する請求項１０記載の機能体パッケージ。
【請求項１２】
請求項１〜１１のいずれか１項に記載された前記機能体パッケージの前記保護材の前記ミシン目を破断して前記保護材から切り離された前記吊り下げ具と、前記吊り下げ具の前記保持部に保持された前記機能性基材とを有する吊り下げ具付き機能体。
【発明の詳細な説明】
【技術分野】
【０００１】
本発明は、機能体パッケージ及び吊り下げ具付き機能体に関する。
【背景技術】
【０００２】
消臭材の多くは、置き型ケースに収容されている。置き型ケースに収容された消臭材は、例えば、リビングなど、消臭が必要とされる空間に設置される。ところで、消臭材を、衣装室のハンガーポール等の支持体に掛けて設置したいという要望がある。
【０００３】
消臭材を支持体に掛けるためには、フック付きケースに消臭材を収容することが考えられる。しかし、フック付きケースは消臭材よりも容積が大きい。フック付きケースに消臭材を収容して販売するにあたっては、パッケージ全体が嵩張るという問題がある。
【０００４】
特許文献１には、ティッシュを収容したボックスティッシュにフック部を形成することが提案されている。ボックスティッシュのフック部となる部分をミシン目で切り離し、切り離した部分を引き起こしてフック部を形成する。フック部を使用して、壁面に取り付けられたＬ字フックなどや、パイプベッドのポールなどの支持体に取り付けられたＳ字フックに、直接ボックスを引っ掛ける。簡単にティッシュボックスを支持体に取り付けることができる。
【０００５】
特許文献１に開示されたボックスティッシュの技術を、消臭材に適用して、フック付きケースに消臭材を収容することが考えられる。
【先行技術文献】
【特許文献】
【０００６】
【特許文献１】特開２００６−１５１５０３号公報
【発明の概要】
【発明が解決しようとする課題】
【０００７】
しかしながら、フック付きケースでは、フック部がケースと一体である。フック部が損傷した場合には、消臭材をハンガーポールなどの支持体に掛けることはできない。
【０００８】
本発明はかかる事情に鑑みてなされたものであり、部品点数が少なく、簡素な構成で機能性基材を支持体に吊り下げることができる機能体パッケージ及び吊り下げ具付き機能体を提供することを課題とする。
【課題を解決するための手段】
【０００９】
（１）本発明の機能体パッケージは、機能性基材と、前記機能性基材を保護する保護材とを有する機能体パッケージであって、前記保護材には、支持体に吊り下げられる吊下部及び前記機能性基材を保持する保持部を有する吊り下げ具となる部分を切り離すためのミシン目が形成されている。
【００１０】
上記構成によれば、保護材のミシン目を破断することで、吊り下げ具を保護材から切り離す。吊り下げ具の保持部に機能性基材を保持させて、機能性基材とともに吊り下げ具を支持体に吊り下げる。
【００１１】
機能性基材には、支持体に吊り下げるための特別な部分を設ける必要がない。機能性基材の構造を簡略にすることができる。
【００１２】
吊り下げ具は、機能体パッケージに元来含まれている保護材に一体的に備えられている。このため、吊り下げ具単独を別途作製する必要がなく、機能体パッケージの部品点数が少なくてすむ。機能体パッケージをコンパクトに且つ軽量化することができる。
【００１３】
吊り下げ具は、機能性基材の自重に耐える強度があればよいので、上記特許文献１に示すティッシュボックスのように他のＳ字フックを必要としない。ティッシュボックスでは、ティッシュを引き抜くときにボックス自体に外力が加わる。しかし、機能性基材は、支持体に吊り下げるだけで、外力が加わりにくい。機能体パッケージに元来含まれていた保護材で十分に対応でき、安価に作製できる。
【００１４】
また、吊り下げ具となる部分を切り離すためのミシン目を保護材に形成することで、保護材に吊り下げ具を一体的に設けることができる。このため、機能体パッケージの製造工数を削減できる。
【００１５】
機能性基材を新品に交換するときには、支持体から機能性基材と吊り下げ具とを取りはずし、機能性基材を新品に交換すればよい。機能性基材と吊り下げ具とは別体であるため、機能性基材のみの交換や吊り下げ具のみの交換をすることが可能である。短時間で交換することができる。
【００１６】
（２）前記保護材は、前記機能性基材を梱包する梱包材、又は／及び前記機能性基材とともに梱包材に収容されている台紙からなることが好ましい。
【００１７】
梱包材又は台紙は、機能体パッケージに元来含まれる保護材である。梱包材や台紙は、比較的大きな面積をもち、吊り下げ具となる部分を形成するために適している。
【００１８】
（３）前記保持材は、厚紙又はダンボール紙からなることが好ましい。厚紙又はダンボール紙は、ミシン目を付けることで破断することが可能である。厚紙又はダンボール紙からなる保護材は、ミシン目を破断することで吊り下げ具を容易に切り離すことができる。また、切り離された吊り下げ具は、機能性基材を保持するに十分な剛性をもつ。吊り下げ具により機能性基材を支持体に安定に吊り下げることができる。
【００１９】
（４）前記吊り下げ具の前記吊下部は、前記支持体に引っ掛けるフック部をもつことが好ましい。フック部を支持体に引っ掛けることで、吊り下げ具を支持体に容易且つ安定に吊り下げることができる。
【００２０】
（５）前記吊り下げ具の前記フック部の内周縁と前記保持部の内周縁との間には、前記支持体を収容可能なスペースが形成されて、前記フック部の内周縁と前記保持部の内周縁とは前記スペースを挟んで互いに対向しており、前記保持部は、前記フック部と連結している連結部と、前記保持部の前記連結部から離間した位置に配置され前記フック部に対向する先端部とをもち、前記保持部の内周縁と外周縁との間の幅は、前記連結部から前記先端部に向かって徐々に小さくなっていることが好ましい。
【００２１】
保持部の内周縁と外周縁との間の幅は、連結部から先端部に向かって小さくなっている。このため、フック部と保持部の先端部との間の開口の間隔を広くすることができる。この開口から、フック部の内周縁及び保持部の内周縁で囲まれたスペースに支持体を引き込み易くなる。このため、支持体への吊り下げ具の引っ掛け操作が容易となる。また、保持部の連結部の側では、内周縁と外周縁との間に十分な幅を有するため、保持部の剛性を高くすることができる。
【００２２】
（６）前記吊り下げ具の前記フック部は、先端から基端まで湾曲した形状をもつ湾曲部と前記湾曲部の基端に連結する直線部とをもち、前記保持部は、前記連結部で前記フック部の前記直線部と連結して前記直線部の延び方向に対して屈曲して前記湾曲部の先端に向かって延びており、前記保持部の外周縁は、前記直線部の延び方向に対して直角の方向に延びており、前記保持部は、前記機能性基材を係止する係止穴又は係止片をもち、前記吊り下げ具を前記支持体に吊り下げた際に前記フック部の水平方向の中央部分を通る仮想線を前記直線部の延び方向と平行に引いたとき、前記係止穴又は係止片は、前記仮想線上に位置していることが好ましい。
【００２３】
機能性基材を係止穴又は係止片に係止したときに、係止穴又は係止片は、機能性基材により吊り下げ具に加わる負荷の力点となる。吊り下げ具のフック部を支持体に吊り下げたときにフック部の水平方向の中央部分は、支持体に支持される支点となる。この中央部分を通る仮想線をフック部の直線部の延び方向と平行に引いたときに、係止穴又は係止片が仮想線上に位置している。このため、吊り下げ具に機能性基材を保持した状態で吊り下げ具を支持体に吊り下げたときに、直線部の延び方向が上下方向に向き、且つ、直線部に対して直角の方向に延びる保持部の外周縁は、水平方向と略平行な方向に向く。支持体に吊り下げたときの吊り下げ具に安定感があり、見栄えもよい。
【００２４】
（７）前記吊り下げ具の前記保持部は、前記機能性基材を係止する係止穴又は係止片をもつことが好ましい。機能性基材を吊り下げ具の係止穴又は係止片に係止することで、機能性基材を吊り下げ具に保持させることができる。
【００２５】
（８）前記係止片は、前記保持部の外周縁側に位置する部分で前記保持部に連結された基部と、前記保持部の内周縁側に位置する部分で前記保持部から切り離された先端部とをもつことが好ましい。
【００２６】
機能性基材を係止片に係止するときに、機能性基材は、係止片の先端部から基部に向けて係止片と保持部との間の隙間に挿入される。係止片は、その基部で機能性基材の荷重を確実に支えながら、機能性基材を安定に係止する。
【００２７】
（９）前記機能性基材は、前記吊り下げ具の前記係止片に係止される切り込み又は穴を有することが好ましい。機能性基材に形成された切り込み又は穴に、吊り下げ具の保持部の係止片を嵌挿することで、吊り下げ具に機能性基材が保持される。
【００２８】
（１０）前記機能性基材は、シート状を呈する機能性シートを有することが好ましい。機能性シートは、軽量で、厚みも小さい。このため、機能体パッケージを薄く、かつ軽量にすることができる。また、機能性シートを支持体に支持したときにも、機能性シートは嵩張らず、周辺物との干渉を少なくすることができる。
【００２９】
（１１）前記機能性基材は、更に、前記機能性シートを収容する通気性の収容体を有することが好ましい。収容体により、機能性シートの外観を隠すことができ、機能性基材の見栄えを良くすることができる。
【００３０】
（１２）本発明の吊り下げ具付き機能体は、前記機能体パッケージの前記保護材の前記ミシン目を破断して前記保護材から切り離された前記吊り下げ具と、前記吊り下げ具の前記保持部に保持された前記機能性基材とを有する。
【００３１】
上記吊り下げ具付き機能体では、吊り下げ具は、保護材から切り離したものである。吊り下げ具だけを別途作製する必要はない。機能体パッケージの部品点数を少なくすることができ、機能体パッケージをコンパクト化及び機能体パッケージの製造工数の削減をすることができる。吊り下げ具と機能性基材とは別体である。このため、機能性基材と吊り下げ具とを別の時期に交換することができる。
【発明の効果】
【００３２】
本発明によれば、保護材には、機能性基材を保持する保持部及び支持体に吊り下げられる吊下部を有する吊り下げ具となる部分を切り離すためのミシン目が形成されている。ミシン目を破断させて吊り下げ具を保護材から切り離すことで、部品点数が少なく、簡素な構成で機能性基材を支持体に支持することができる。
【図面の簡単な説明】
【００３３】
【図１】本発明の実施例１の機能体パッケージの説明図である。
【図２】実施例１における、梱包材の展開図である。
【図３】実施例１における、梱包材の裏面図である。
【図４】実施例１における、吊り下げ具の平面図である。
【図５】実施例１における、吊り下げ具をハンガーポールに引っ掛けた状態を示す平面図である。
【図６】実施例１における、ハンガーポールを備えたタンスの斜視図である。
【図７】実施例１における、ハンガーポールに引っ掛けた吊り下げ具付き機能体の斜視図である。
【図８】実施例２の吊り下げ具の平面図である。
【図９】実施例２の機能性基材の平面図である。
【図１０】実施例２の、機能性基材を係止した吊り下げ具の平面図である。
【図１１】実施例３の吊り下げ具の平面図である。
【図１２】実施例４の吊り下げ具の平面図である。
【図１３】実施例５の、機能性基材を係止した吊り下げ具の平面図である。
【図１４】実施例６の機能体パッケージの説明図である。
【図１５】実施例６の機能性基材と台紙の平面図である。
【発明を実施するための形態】
【００３４】
本発明の実施形態に係る機能体パッケージ及び吊り下げ具付き機能体について詳細に説明する。
【００３５】
機能体パッケージは、機能性基材と保護材とを有する。保護材は、例えば機能性基材の運搬や販売のときに、機能性基材を保護する部材である。機能性基材を使用しているときには、保護材は不要となる。本発明は、機能性基材を使用している時には不要とされる保護材に着目し、保護材の一部を、機能性基材を支持体に吊り下げるための吊り下げ具として用いることを特徴としている。
【００３６】
保護材には、吊り下げ具となる部分を切り離すためのミシン目が形成されている。ミシン目を破断することで、吊り下げ具を保護材から切り離す。吊り下げ具の保持部には機能性基材を保持させ、吊り下げ具の吊下部は支持体に吊り下げる。
【００３７】
保護材は、機能性基材を梱包する梱包材、又は／及び台紙からなる。保護材は、例えば、厚紙又はダンボール紙からなることがよい。台紙は、機能性基材を保護するために、梱包材に収容されている。このうち、ある程度の剛性があり且つミシン目の破断が容易であるという観点から、保護材は厚紙からなるとよい。
【００３８】
吊り下げ具の周縁は、保護材の一般部により囲まれていて、吊り下げ具となる部分の周縁と一般部との境界線上に、ミシン目が形成されている。ミシン目は、小穴又は／及び切り込みが線状に配列した形態をとる。ミシン目は、指で力を加えたときに難なく破断するように、切り込み又は小穴の大きさや配置が調整されているとよい。吊り下げ具となる部分の周縁と一般部との境界線の全体又は一部にミシン目が形成されていてもよい。境界線上において、屈曲部分などのように破断しにくい部分には、比較的長い切り込みが形成されているとよい。
【００３９】
吊り下げ具は、機能性基材を保持する保持部と、支持体に吊り下げられる吊下部とを有する。吊下部は、支持体に引っ掛けるフック形状をなすフック部をもつとよい。フック部のフック形状は、特に限定されないが、例えば、湾曲した湾曲形状、Ｖ字状、コ字状などのように屈曲した屈曲形状であるとよい。なかでも、湾曲した湾曲形状であるとよい。支持体に吊り下げ具を安定に支持させるためである。または、吊下部には、支持体に接合可能な粘着テープが設けられていても良い。
【００４０】
保持部は、機能性基材を保持する部分である。保持部には、機能性基材を保持する手段が設けられている。例えば、保持部は、機能性基材を係止する係止穴又は係止片をもつとよい。係止穴又は係止片には、機能性基材を簡素に係止することができる。保持部が係止穴をもつ場合には、例えば、機能性基材には係止片を設けるとよい。機能性基材の係止片を保持部の係止穴に係止することで、機能性基材を保持部に保持させる。保持部が係止片をもつ場合には、機能性基材は、保持部の係止片に係止される切り込み又は穴を有することがよい。機能性基材の切り込み又は穴を保持部の係止片に係止することで、機能性基材を保持部に保持させる。
【００４１】
また、保持部は、機能性基材を接着させる粘着テープが接着されていてもよい。粘着テープの粘着力により、機能性基材が保持部に保持される。
【００４２】
吊り下げ具の具体的形状としては、特に問わないが、例えば、次に説明する形状であるとよい。例えば、吊り下げ具のフック部の内周縁と保持部の内周縁との間には、支持体を収容可能なスペースが形成されて、フック部の内周縁と保持部の内周縁とはスペースを挟んで互いに対向しているとよい。
【００４３】
保持部は、フック部と連結している連結部と、保持部の連結部から離れる方向の側に配置されフック部と対向する先端部とをもち、保持部の内周縁と外周縁との間の幅は、連結部から先端部に向かって徐々に小さくなっていることがよい。フック部と保持部の先端部との間は、支持体を挿入可能な程度に開口しているとよい。
【００４４】
吊り下げ具のフック部は、先端から基端まで湾曲した形状をもつ湾曲部と、湾曲部の基端に連結する直線部とをもつとよい。保持部は、連結部でフック部の直線部と連結して直線部の延び方向に対して屈曲して湾曲部の先端に向かって延び、保持部の外周縁は、直線部の延び方向に対して直角の方向に延びているとよい。吊り下げ具を支持体に吊り下げた際にフック部の水平方向の中央部分を通る仮想線を直線部の延び方向と平行に引いたときに、この仮想線上に、係止穴又は係止片が位置しているとよい。
【００４５】
保持部の内周縁と外周縁との間の平均幅は、フック部の内周縁と外周縁との間の平均幅よりも大きいことがよい。この場合には、機能性基材による荷重を直接受ける保持部の剛性を高めることができる。
【００４６】
吊り下げ具の全体形状は、略Ｃ字形状であって、その一方側に吊下部が配置され、その他方側に保持部が配置されているとよい。吊り下げ具全体をコンパクトにすることができる。この場合、吊下部の内周縁と保持部の内周縁とは、支持体を収容し得るスペースを囲む。支持体に吊り下げ具を吊り下げたときには、支持体に吊り下げられる吊下部は上側に、機能性基材を保持する保持部は下側に配置される。
【００４７】
機能性基材は、例えば、環境に働きかける機能をもつ基材である。機能性基材は、例えば、環境の衛生を維持したり衛生化したりする衛生機能をもつことがよい。機能性基材は、環境中の成分又は生物を吸着し得るもの、環境中に成分を発散させるものなどがあげられる。例えば、機能性基材は、吸着材、消臭材、抗菌材、芳香材、防虫材の群から選ばれる１種以上をもつことが好ましい。
【００４８】
機能性基材は、シート状を呈する機能性シートを有することがよい。または機能性基材は、シート形状に限らず、例えば、粉末状であってもよい。
【００４９】
機能性基材は、更に、前記機能性シートを収容する通気性の収容体を有することがよい。収容体は、例えば、通気性のある平坦な袋又はケースであるとよい。袋は、不織布、織編物、メッシュ、紙などで形成されているとよい。ケースは、１又は複数の孔が開口するものであればよい。
【００５０】
吊り下げ具付き機能体は、上記の機能体パッケージの保護材のミシン目を破断して保護材から切り離された吊り下げ具と、吊り下げ具の保持部に保持された機能性基材とを有する。
【００５１】
この吊り下げ具付き機能体は、支持体に吊り下げられる。支持体は、吊り下げ具の吊下部を吊り下げ可能な部材であれば、特に限定されない。支持体は、例えば、ハンガーポール、ハンガーバー、ハンガーなどが例示される。
【実施例】
【００５２】
（実施例１）
本実施例の機能体パッケージ１は、図１に示すように、複数の機能性基材２と、梱包材５とを有する。各機能性基材２は、機能性シート３と、機能性シート３を収容した通気性の平坦な袋４とからなる。機能性シート３は、ホルムアルデヒドを吸着し分解し得る吸着材からなり、長方形状の薄いシート形状を呈している。袋４は、不織布からなり、長方形の機能性シート３を収容し得る大きさの長方形状をなしている。長方形状の袋４の３辺４ａ、４ｂ、４ｃは閉止され、他の一辺４ｄは開口している。開口している一辺４ｄの近傍には、切り込み４０が形成されている。切り込み４０は、袋の一辺４ｄの延び方向に沿って延び、袋４の横方向の中央部分に位置している。
【００５３】
梱包材５は、本発明の保護材に相当する。梱包材５は、複数の機能性基材２を収容している。梱包材５は、厚紙を折り畳んで形成されている。梱包材５の展開図を図２に示す。図２に示すように、梱包材５は、それ自体が１体品である。梱包材５は、表面部５１と、表面部５１の一辺に連結する裏面部５２とを有する。表面部５１と裏面部５２とは、互いに同じ形状をなし、機能性シート３を収容可能な大きさの長方形状をなしている。梱包材５は、更に、表面部５１の他の３辺に連結する折り返し部５３ａ、５３ｂ、５３ｃを有する。
【００５４】
梱包材５の表面部５１の内側面５ａ（図２の紙面の上側）に、機能性部材２を配置する。裏面部５２を、表面部５１の内側面５ａの側に折り畳む。次に、折り返し部５３ａ、５３ｂ、５３ｃを、折り畳んだ裏面部５２の外側面５ｂに向けて折り返す。当該折り返し部は、裏面部５２の外側面５ｂに接着材で接着してある。
【００５５】
梱包材５の表面部５１の外側面には、機能性シート３の商品名などの表示が付されている。図３に示すように、梱包材５の裏面部５２の内側面５ａの略半分を占める第１区画５２ａには、機能性基材２の使用法を説明した説明文が付されている。梱包材５の裏面部５２の残りの半分を占める第２区画５２ｂには、吊り下げ具となる部分５２ｄを切り離すためのミシン目５０が形成されている。吊り下げ具となる部分５２ｄの周縁には、梱包材５の裏面部５２の一般部５２ｃで囲まれている。吊り下げ具となる部分５２ｄと一般部５２ｃとの境界部分にミシン目５０が形成されている。
【００５６】
第２区画５２ｂには、吊り下げ具となる部分５２ｄがミシン目５０により複数形取られている。ミシン目５０は、細長い小穴又は切り込みが線状に配列した形態をとる。ミシン目５０は、吊り下げ具となる部分５２ｄにおいて屈曲した部分などには、ミシン目５０のピッチを大きくしたり、屈曲した部分には切り込みを入れたりするなど、指で簡単に切り離しができるようにされている。ミシン目５０を破断させて、梱包材５から、吊り下げ具となる部分５２ｄを切り離すと、吊り下げ具６が形成される。
【００５７】
図４に示すように、吊り下げ具６は、支持体としてのハンガーポール９に引っ掛けるフック部６１と、機能性基材２を保持する保持部６２とを有する。フック部６１は、半円形状に湾曲している。保持部６２は、フック部６１に連結する連結部６２ａと、連結部６２ａから離れた位置に形成されフック部６１の先端６１ａと対向する先端部６２ｂとを有する。吊り下げ具６の全体形状は、略Ｃ字形状をなす。略Ｃ字形状の吊り下げ具６の一端側にフック部６１が配置され、他方の側に保持部６２が配置されている。
【００５８】
フック部６１は、円弧形状であって先端６１ａと基端６１ｂとをもつ円弧部６１ｆ（湾曲部）と、円弧部６１ｆの基端６１ｂに連結する直線部６１ｇとからなる。直線部６１ｇは、延び方向の一端側で円弧部６１ｆの基端６１ｂと連結し、延び方向の他端側で保持部６２の連結部６２ａと連結している。フック部６１の内周縁６１ｃと外周縁６１ｄとの間の幅は、フック部６１の全体にわたって、同じである。円弧部６１ｆの半径は、円断面をもつハンガーポール９の断面の半径よりも大きい。フック部６１の内周縁６１ｃと保持部６２の内周縁６２ｃとの間には、ハンガーポール９を収容し得るスペース６０が形成されている。フック部６１の内周縁６１ｃと保持部６２の内周縁６２ｃとは、このスペース６０を挟んで互いに対向している。
【００５９】
保持部６２の内周縁６２ｃから外周縁６２ｄの間の幅は、連結部６２ａから先端部６２ｂに向けて徐々に小さくなっている。保持部６２のどの部分においても内周縁６２ｃと外周縁６２ｄとの間の幅は、フック部６１の内周縁６１ｃと外周縁６１ｄとの間の幅よりも大きい。保持部６２の先端部６２ｂとフック部６１の先端６１ａとの間には、機能性基材２を保持した状態で、ハンガーポール９を挿入可能な程度の開口６０ａが形成されている。フック部６１をハンガーポールに引っ掛けたときに、フック部６１の水平方向の幅は、保持部６２の水平方向の幅よりも若干大きい。保持部６２の先端部６２ｂは、フック部６１の先端６１ａよりも、水平方向の内側に位置している。
【００６０】
保持部６２は、連結部６２ａでフック部６１の直線部６１ｇと連結している。保持部６２は、直線部６１ｇの延び方向に対して屈曲して円弧部６１ｆの先端６１ａに向かって延びている。保持部６２の外周縁６２ｄは、フック部６１の直線部６１ｇの延び方向に対して直角の方向に延びている。保持部６２には、機能性基材２を係止する係止片６３が形成されている。吊り下げ具６をハンガーポール９に吊り下げたときのフック部６１の水平方向の中央部分６１ｅに、仮想線Ａを引く。仮想線Ａは、フック部６１の直線部６１ｇの延び方向と平行とする。係止片６３は、仮想線Ａ上に位置している。係止片６３は、保持部６２の内周縁６２ｃと外周縁６２ｄの中央部に形成されている。
【００６１】
図４の係止片６３を拡大した丸囲み部分に示すように、係止片６３は、保持部６２の外周縁６２ｄ側に位置する部分で保持部６２に連結された基部６３ａと、保持部６２の内周縁６２ｃ側に位置する部分で保持部６２から切り離された先端部６３ｂとをもつ。
【００６２】
図３、図４に示すように、機能体パッケージ１に収容された機能性基材２を使用するために、梱包材５の裏面部５２に形成されているミシン目５０を指で破断して、吊り下げ具６を梱包材５の裏面部５２の一般部５２ｃから切り離す。係止片６３と保持部６２との間に、２〜３ｍｍ程度の隙間６４を開ける。
【００６３】
図５に示すように、吊り下げ具６の保持部６２の係止片６３を、袋４の切り込み４０に通過させる。係止片６３と保持部６２との間の隙間６４に、袋４の切り込み４０の上側周端部４０ａを入れる。切り込み４０の上側周端部４０ａは、係止片６３と保持部６２とで挟持される。図５、図６、図７に示すように、吊り下げ具６のフック部６１を、タンス９１の中に設置され横方向に延びるハンガーポール９に引っ掛ける。吊り下げ具６と機能性基材２とは、吊り下げ具付き機能体７を構成する。
【００６４】
本例においては、梱包材５のミシン目５０を破断することで、吊り下げ具６を梱包材５から切り離すことができる。吊り下げ具６の保持部６２に機能性基材２を保持させる。機能性基材２とともに吊り下げ具６をハンガーポール９に吊り下げる。これにより、機能性基材２をハンガーポール９に支持させることができる。
【００６５】
機能性基材２には、ハンガーポール９に支持するための特別な部分を設ける必要がない。このため、機能性基材２の構造を簡略にすることができる。
【００６６】
吊り下げ具６は、機能体パッケージ１に元来含まれている梱包材５に一体的に備えられている。このため、吊り下げ具６単独を別途作製する必要がなく、機能体パッケージ１の部品点数が少なくて済む。機能体パッケージ１をコンパクトに且つ軽量化することができる。
【００６７】
また、梱包材５に吊り下げ具となる部分５２ｄを切り離すためのミシン目５０を形成することで、梱包材５に吊り下げ具６を一体的に設けることができる。このため、機能体パッケージ１の製造工数を削減できる。
【００６８】
機能性基材２と吊り下げ具６とは別体であるため、機能性基材２のみの交換や吊り下げ具６のみの交換をすることが可能である。短時間で交換することができる。
【００６９】
梱包材５は、厚紙からなる。厚紙は、ミシン目５０を付けることで破断することが可能である。厚紙からなる梱包材５は、ミシン目５０を破断することで吊り下げ具６を容易に切り離すことができる。また、切り離された吊り下げ具６は、機能性基材２を保持するに十分な剛性をもつ。吊り下げ具６により機能性基材２をハンガーポール９に安定に吊り下げることができる。
【００７０】
吊り下げ具６は、フック部６１をもつ。フック部６１をハンガーポール９に引っ掛けることで、吊り下げ具６をハンガーポール９に容易且つ安定に吊り下げることができる。
【００７１】
吊り下げ具６の保持部６２の内周縁６２ｃと外周縁６２ｄとの間の幅は、連結部６２ａから先端部６２ｂに向かって小さくなっている。このため、フック部６１と保持部６２の先端部６２ｂとの間の開口６０ａの間隔が広くなることで、開口６０ａから、フック部６１の内周縁６１ｃで囲まれたスペース６０にハンガーポール９を引き込み易くなる。このため、ハンガーポール９への吊り下げ具６の引っ掛け操作が容易となる。また、保持部６２は、連結部６２ａ側で十分な幅を有するため、保持部６２の剛性を高くすることができる。
【００７２】
機能性基材２を吊り下げ具６の係止片６３に係止したときに、係止片６３は、機能性基材２により吊り下げ具６に加わる負荷の力点となる。フック部６１をハンガーポール９に引っ掛けたときには、フック部６１の水平方向の中央部分６１ｅの内周縁６１ｃは、ハンガーポール９で支持される支点となる。この中央部分６１ｅを通る仮想線Ａをフック部６１の直線部６１ｇの延び方向と平行に引いたときに、係止片６３が仮想線Ａ上に位置している。このため、吊り下げ具６に機能性基材２を保持した状態で吊り下げ具６をハンガーポール９に吊り下げたときに、直線部６１ｇの延び方向が上下方向に向き、且つ、直線部６１ｇに対して直角の方向に延びる保持部６２の外周縁６２ｄは、水平方向と略平行な方向に向く。吊り下げたときの吊り下げ具６に安定感があり、見栄えもよい。
【００７３】
機能性基材２を係止片６３に係止するときに、機能性基材２は、係止片６３の先端部６３ｂから基部６３ａに向けて係止片６３と保持部６２との間の隙間６４に挿入される。係止片６３は、その基部６３ａで機能性基材２の荷重を確実に支えながら、機能性基材２を安定に係止する。
【００７４】
機能性シート３は、軽量で、嵩も小さい。このため、機能体パッケージ１を薄く、かつ軽量にすることができる。また、機能性シート３をハンガーポール９に吊り下げたときにも、機能性シート３は嵩張らず、衣料などの周辺物との干渉を少なくすることができる。
【００７５】
機能性シート３は、不織布からなる袋４に収容されている。袋４により、機能性シート３の外観を隠すことができ、機能性基材２の見栄えを良くすることができる。
【００７６】
吊り下げ具６は、梱包材５から切り離したものである。吊り下げ具６だけを別途作製する必要はない。機能体パッケージ１の部品点数を少なくすることができ、機能体パッケージ１をコンパクト化及び機能体パッケージ１の製造工数の削減をすることができる。
【００７７】
吊り下げ具６と機能性基材２とは別体である。このため、機能性基材２と吊り下げ具６とを別の時期に交換することができる。
【００７８】
（実施例２）
本例の機能体パッケージは、図８に示すように、吊り下げ具６の保持部６２には、係止穴６６が形成されている。図９に示すように、機能性シート３を収容する通気性の袋４には、係止片４１が形成されている。係止片４１は、袋４の左右方向の中央部４２に、袋４の上側の一辺４ｄと平行に形成されている。袋４に、左右方向の中央部４２を通り縦方向に延びる中央線Ｂを引いたとき、係止片４１の基部４１ａは中央線Ｂと交差する位置にあり、係止片４１は、基部４１ａから袋４の上側の一辺４ｄと平行に横方向に延びている。係止片４１の周縁は、切り込み４１ｃが形成されている。係止片４１は、吊り下げ具６の係止穴６６に横方向から挿入可能な幅をもつ。
【００７９】
図１０に示すように、係止片４１を袋４から２〜３ｍｍ程度引き起こして、係止片４１を吊り下げ具６の係止穴６６に挿入する。機能性シート３を収容した袋４は、吊り下げ具６に上下方向を向いた状態で保持される。
【００８０】
その他は、実施例１と同様である。本例においても、吊り下げ具６を用いることにより機能性シート３をハンガーポールに簡単に吊り下げることができる。
【００８１】
（実施例３）
本例の機能体パッケージは、図１１に示すように、吊り下げ具６の保持部６２に、両面テープ６８が接着されている。梱包材５から切り離す前の吊り下げ具６には、梱包材５の内側面に両面テープ６８が接着されている。このため、梱包材５の外側面からは両面テープ６８は見えない。
【００８２】
両面テープ６８の表面は、図略の離型シートで被覆されている。吊り下げ具６を使用するときには、離型シートを取り外して、両面テープ６８を、機能性シート３を収容した袋４に接着させる。これにより、機能性シート３を収容した袋４が吊り下げ具６に保持される。袋４には、実施例１のような切り込みは形成されていない。
【００８３】
吊り下げ具６の上側のフック部６１は、実施例１と同様に、ハンガーポールに引っ掛けられる。その他は、実施例１と同様である。本例においても、吊り下げ具６を用いることにより機能性シート３をハンガーポールに簡単に吊り下げることができる。
【００８４】
（実施例４）
本例の機能体パッケージは、図１２に示すように、長方形状の吊り下げ具６をもつ。長方形状の吊り下げ具６の上側部には、両面テープ６７が接着された吊下部６９が設けられている。吊り下げ具６の下側部には、中央部に係止片６３を形成した保持部６２が設けられている。梱包材５から切り離す前の吊り下げ具６には、梱包材５の内側面に両面テープ６７が接着されている。このため、梱包材５の外側面からは両面テープ６７は見えない。
【００８５】
両面テープ６７の表面は、図略の離型シートで被覆されている。吊り下げ具６を使用するときには、離型シートを取り外して、両面テープ６７を、ハンガーポール９に接着させる。
【００８６】
吊り下げ具６の下側部に形成された係止片６３には、実施例１と同様に、袋に形成された切り込みに挿入される。袋に収容された機能性シートは、吊り下げ具６によりハンガーポールに引っ掛けられる。その他は、実施例１と同様である。本例においても、吊り下げ具６を用いることにより機能性シート３をハンガーポールに簡単に吊り下げることができる。
【００８７】
（実施例５）
本例の機能体パッケージは、図１３に示すように、機能性基材２が機能性シート３のみからなる。実施例１とは異なって、機能性基材２には袋は含まれない。機能性シート３の上辺近傍には、切り込み３０が形成されている。機能性シート３の切り込み３０を、吊り下げ具６の保持部６２の係止片６３に係止させる。吊り下げ具６のフック部６１は、ハンガーポールなどの支持体に吊り下げる。その他は、実施例１と同様である。本例においても、吊り下げ具６を用いることにより機能性シート３をハンガーポールに簡単に吊り下げることができる。
【００８８】
（実施例６）
本例の機能体パッケージ１は、図１４に示すように、複数の機能性基材２と、複数の機能性基材２を保持する台紙５５と、収容袋５６とを有する。台紙５５は、本発明の保護材に相当する。台紙５５は厚紙で形成されている。台紙５５は、機能性基材２よりも若干大きい長方形状を呈している。台紙５５の４つのコーナー部近傍には、円弧状の切り込み５５ａが形成されている。複数の機能性基材２のコーナー部は、４つの切り込み５５ａに挿入されて、台紙５５に保持されている。台紙５５は、機能性基材２の形崩れを防止している。
【００８９】
収容袋５６は、透明なプラスチック製である。収容袋５６は、台紙５５よりも若干大きい形状をなして、機能性基材２及び台紙５５を収容している。収容後に、収容袋５６は、テープ、融着などにより封止される。
【００９０】
図１５に示すように、台紙５５の中央部分には、吊り下げ具となる部分５５ｄを切り離すためのミシン目５０が形成されている。吊り下げ具となる部分５５ｄは、一般部５５ｃで囲まれている。吊り下げ具となる部分５５ｄと一般部５５ｃとの間の境界部分にミシン目５０が形成されている。ミシン目５０を破断して、吊り下げ具となる部分５５ｄを台紙５５の一般部５５ｃから切り離すことで、吊り下げ具６が形成される。
【００９１】
吊り下げ具６の詳細及び機能性基材２の詳細は、実施例１と同様である。本例においても、機能体パッケージ１に元来含まれている台紙５５に、吊り下げ具となる部分５５ｄを切り離すためのミシン目５０を形成している。このため、吊り下げ具単独の部材を作製する必要はなく、台紙５５にミシン目５０を付けるだけで、台紙５５に吊り下げ具６を一体的に設けることができる。
【符号の説明】
【００９２】
１：機能体パッケージ、２：機能性基材、３：機能性シート、４：袋、５：梱包材、６：吊り下げ具、７：吊り下げ具付き機能体、９：ハンガーポール（支持体）、４０：切り込み、５０：ミシン目、５２：裏面部、５２ｃ、５５ｃ：一般部、５２ｄ、５５ｄ：吊り下げ具となる部分、５５：台紙、５６：収容袋、６０：スペース、６０ａ：開口、６１：フック部（吊下部）、６１ａ：先端、６１ｂ：基端、６１ｃ：フック部の内周縁、６１ｄ：フック部の外周縁、６１ｆ：円弧部（湾曲部）、６１ｇ：直線部、６２：保持部、６２ａ：連結部、６２ｂ：先端部、６２ｃ：保持部の内周縁、６２ｄ：保持部の外周縁、６３：係止片、６７，６８：両面テープ、６９：吊下部。
【図１】
2015009819.tif 000003
【図２】
2015009819.tif 000004
【図３】
2015009819.tif 000005
【図４】
2015009819.tif 000006
【図５】
2015009819.tif 000007
【図６】
2015009819.tif 000008
【図７】
2015009819.tif 000009
【図８】
2015009819.tif 000010
【図９】
2015009819.tif 000011
【図１０】
2015009819.tif 000012
【図１１】
2015009819.tif 000013
【図１２】
2015009819.tif 000014
【図１３】
2015009819.tif 000015
【図１４】
2015009819.tif 000016
【図１５】
2015009819.tif 000017